(57)【要約】【課題】再生中の映像を変化させることなく子供に好ましくないシーンで真似を禁じる警告を表示することのできるディスク再生装置を提供する。【解決手段】ディスク１の情報再生時、キー入力部１３より警告表示の開始指令が送出されてくるとＯＳＤ回路１５ｂから前記警告サインの表示データを出力させるとともに、前記キー入力部１３より送出されてくる警告設定指令に従って前記ＯＳＤ回路１５ｂから警告設定メニューの表示データを出力させ、次いで、ディスク１の識別データ、警告表示の開始、終了時間データが順次送出されてくるとメモリ１５ａに記憶した後、前記ディスク１の再生開始指令が入力したときは、前記メモリ１５ａのデータを検索してそのディスク１に時間データの記録があるか否かを判別し、時間データの記録があるとその警告開始、終了時間帯に前記ＯＳＤ回路１５ｂから前記警告サインの表示データを出力させる制御を行う制御手段１５と、を備えた。【選択図】      図１
2004295933.tif 000002
【特許請求の範囲】
【請求項１】
警告表示の開始、終了時間や各種指令を入力するキー入力部と、
ディスクの情報再生に関したメニューや表示シーンの真似を禁止させる警告文字を含む警告サイン等をモニタの画面に表示させるＯＳＤ（オン・スクリーン・ディスプレイと称す）回路と、
前記ディスクの情報再生時、前記キー入力部より警告表示の開始指令が送出されてくると前記ＯＳＤ回路から前記警告サインの表示データを出力させるとともに、前記キー入力部より送出されてくる警告設定指令に従って前記ＯＳＤ回路から警告設定メニューの表示データを出力させ、次いで、ディスクの識別データ、警告表示の開始、終了時間データが順次送出されてくるとメモリに記憶した後、前記ディスクの再生開始指令が入力したときは、前記メモリのデータを検索してそのディスクに時間データの記録があるか否かを判別し、時間データの記録があるとその警告開始、終了時間帯に前記ＯＳＤ回路から前記警告サインの表示データを出力させる制御を行う制御手段と、を備えたことを特徴とするディスク再生装置。
【請求項２】
警告表示の開始、終了時間や各種指令を入力するキー入力部と、
ディスクの情報再生に関したメニューや表示シーンの真似を禁止させる警告文字を含む警告サイン等をモニタの画面に表示させるＯＳＤ回路と、
前記キー入力部より送出されてくる警告設定指令に従って前記ＯＳＤ回路から警告設定メニューの表示データを出力させ、次いで、ディスクの識別データ、警告表示の開始、終了時間データが順次送出されてくるとメモリに記憶した後、前記ディスクの再生開始指令が入力したときは、前記メモリのデータを検索してそのディスクに時間データの記録があるか否かを判別し、時間データの記録があるとその警告開始、終了時間帯に前記ＯＳＤ回路から前記警告サインの表示データを出力させる制御を行う制御手段と、を備えたことを特徴とするディスク再生装置。
【請求項３】
前記制御手段が、前記ディスクの情報再生時、前記キー入力部より警告表示の開始指令が送出されてくると前記ＯＳＤ回路から前記警告サインの表示データを出力させることを特徴とする請求項２に記載のディスク再生装置。
【請求項４】
前記制御手段が、前記キー入力部より前記ディスクの情報仲に真似を禁止させるべき表示シーンのタイトルが送出されてくると、そのタイトルの開始、終了時間データを前記メモリに記憶させることを特徴とする請求項２に記載のディスク再生装置。
【発明の詳細な説明】
【０００１】
【発明の属する技術分野】
本発明は、ＤＶＤ等のディスクから映像情報を読み出してＴＶ等のモニタ画面に表示させるディスク再生装置に係り、特に、子供に好ましくない映像が表示される際に警告を与え得るディスク再生装置に関する。
【０００２】
【従来の技術】
子供の教育や健康上好ましくない再生情報の聴視を制限する各種の提案がなされており、その一例として、画像表示装置が知られている（例えば、特許文献１参照）。
このものは、送信側の第１規制データとＴＶ側で親または保護者が設定する第２規制データとを比較し、その結果に基づいて規制動作を実行するか否かを制御するようになっている。
これにより、受信側の意志に沿った規制動作が実行されるので、子供の成長および教育に対して不適切と考えられる映像シーンを視聴不可能にできるものである。
【０００３】
また、ゲームのプレイヤーが疲れるのを予防することを目的とした画像表示機能付きゲーム装置及びテレビジョン装置が提案されている（例えば、特許文献２参照）。
この装置は、ディスプレイに表示された画像に応じて入力手段を操作しゲームを行う画像表示機能付きゲーム装置であり、ゲームの進行に応じてゲーム休憩処理を行う制御手段を備えている。
この制御手段は、ゲーム休憩処理において、表示画像を一時停止させて静止画像をしばらく表示することにより、長時間にわたってゲームを続けていることをプレイヤーに気付かせるようになっている。
よって、プレイヤーが疲労し過ぎないように注意を与えることができ、テレビゲームの途中で休憩を取るように指示することができるものである。
【０００４】
また、表示画面に警告文字を表示させる認識機能付表示装置も提案されている（例えば、特許文献３参照）。
このものは、規制判断装置が表示画面を規制画面と判断すると、視聴者情報記憶部に記憶された視聴者情報から視聴規制が必要と認めた場合に、警告装置を駆動して表示画面に警告文字を表示した後、チャンネルを変更する構成になっている。
よって、教育上悪影響を与える規制画面を識別して幼児や未成年者に見せないようにすることができるというものである。
【０００５】
【特許文献１】
特開平１０−１０８１４９号公報
【特許文献２】
特開２０００−５４４８号公報
【特許文献３】
特開２００１−１６５１４号公報
【０００６】
【発明が解決しようとする課題】
ところで、上記特許文献１の画像表示装置は、子供の成長および教育に対して不適切と考えられる映像シーンを視聴不可能とし、また、特許文献２の画像表示機能付きゲーム装置は、表示画像を一時停止させて静止画像をしばらく表示させ、さらに特許文献３の認識機能付表示装置は、教育上悪影響を与える規制画面を識別して幼児や未成年者に見せないようにするものである。
このように、何れの装置も聴視者を保護することを主目的としているが、映像シーンや画像を大きく変化させるので、リアルタイムで映像を見続けられない構成になっている。このため、聴視していた内容が途中で遮断されてしまい、著しく興趣を損なうという欠点があった。
【０００７】
本発明は、上記課題に鑑みて創案されたもので、再生中の映像を変化させることなく子供に好ましくないシーンで真似を禁じる警告を表示することのできるディスク再生装置を提供することを目的としている。
【０００８】
【課題を解決するための手段】
上記目的を達成するため、本発明のうち請求項１に記載の発明は、警告表示の開始、終了時間や各種指令を入力するキー入力部と、ディスクの情報再生に関したメニューや表示シーンの真似を禁止させる警告文字を含む警告サイン等をモニタの画面に表示させるＯＳＤ回路と、前記ディスクの情報再生時、前記キー入力部より警告表示の開始指令が送出されてくると前記ＯＳＤ回路から前記警告サインの表示データを出力させるとともに、前記キー入力部より送出されてくる警告設定指令に従って前記ＯＳＤ回路から警告設定メニューの表示データを出力させ、次いで、ディスクの識別データ、警告表示の開始、終了時間データが順次送出されてくるとメモリに記憶した後、前記ディスクの再生開始指令が入力したときは、前記メモリのデータを検索してそのディスクに時間データの記録があるか否かを判別し、時間データの記録があるとその警告開始、終了時間帯に前記ＯＳＤ回路から前記警告サインの表示データを出力させる制御を行う制御手段と、を備えたことを特徴としている。
【０００９】
また、請求項２に記載の発明は、警告表示の開始、終了時間や各種指令を入力するキー入力部と、ディスクの情報再生に関したメニューや表示シーンの真似を禁止させる警告文字を含む警告サイン等をモニタの画面に表示させるＯＳＤ回路と、前記キー入力部より送出されてくる警告設定指令に従って前記ＯＳＤ回路から警告設定メニューの表示データを出力させ、次いで、ディスクの識別データ、警告表示の開始、終了時間データが順次送出されてくるとメモリに記憶した後、前記ディスクの再生開始指令が入力したときは、前記メモリのデータを検索してそのディスクに時間データの記録があるか否かを判別し、時間データの記録があるとその警告開始、終了時間帯に前記ＯＳＤ回路から前記警告サインの表示データを出力させる制御を行う制御手段と、を備えたことを特徴としている。
また、請求項３に記載の発明は、前記制御手段が、前記ディスクの情報再生時、前記キー入力部より警告表示の開始指令が送出されてくると前記ＯＳＤ回路から前記警告サインの表示データを出力させることを特徴としている。
また、請求項４に記載の発明は、前記制御手段が、前記キー入力部より前記ディスクの情報仲に真似を禁止させるべき表示シーンのタイトルが送出されてくると、そのタイトルの開始、終了時間データを前記メモリに記憶させることを特徴としている。
【００１０】
【発明の実施の形態】
以下、本発明の実施の形態について、図示例を参照しながら説明する。
図１は、本発明の実施の形態に係るディスク再生装置の電気的構成を示すブロック線図である。
このディスク再生装置は、普及型のＤＶＤプレイヤーに適用されたものである。このＤＶＤプレイヤーは、リモコン（リモートコントローラ）１３の押キー操作によりＤＶＤ１の記録情報を再生し、モニタ１１（テレビジョン受信機）の画面１１ａ（図２参照）に表示させる構成になっている。
このＤＶＤ１は、記録トラックの情報記録領域に、本例では、暴力シーンが含まれた映画の映像・音声情報が記録されている。
【００１１】
また、このＤＶＤ１は、情報記録領域に映像・音声情報を書き込むとき、スパイラル状の記録トラックにおける細分化されたポイント（位置）を示すためのアドレスが予めふられている。このアドレスは、映像・音声情報の最初の記録位置から最後の記録位置までの経過時間に対応している。
そして、リードインエリヤのＴＯＣ領域には、各タイトルおよび各チャプターの記録位置が、記録開始位置（タイトル番号１のチャプター１番目）からの経過時間情報に対応させたアドレスデータで記録されている。
よって、このＴＯＣ領域のデータが読み出されると、記録トラックに記録された映画のタイトル（ＴＴ）、チャプター（ＣＨＰ）、記録時間（Ｔｉｍｅ）、残時間（Ｒｅｍａｉｎ）および記録層（Ｌａｙｅｒ）等がモニタ１１の画面１１ａに表示される。
【００１２】
図１において、２は駆動系のモータであり、前記ＤＶＤ１を回転駆動させる。また、３は光ピックアップであって、ＤＶＤ１のトラックから光学的に読み取った情報を信号処理部４に送出する。この信号処理部４は、読出部６および制御部１５に接続されており、前記読取情報を信号処理してそれぞれに伝送する。
なお、モータ２や光ピックアップ３は、サーボ制御部５により動作速度が制御されるようになっている。
前記読出部６は、ＤＶＤ１から読み出された圧縮映像音声データ（データストリーム）を分離化部７に送出する。また、この分離化部７は、圧縮映像音声データを圧縮映像データバケットと圧縮音声データバケットとに分離し、伸長部８へ伝送する。
【００１３】
この伸長部８は、分離化部７にて分離された圧縮映像データバケットおよび圧縮音声データバケットをそれぞれ復号して元の映像音声情報に伸長する。
なお、これら読出部６、分離化部７および伸長部８は、一般のデコーダＩＣによって構成されている。
また、９は映像情報出力部（映像出力部）であって、前記伸長部８により伸長された映像データを、モニタ１１の画面１１ａに表示されるべくＮＴＳＣあるいはＰＡＬ方式のカラーテレビジョン信号に変換して出力する。
１０は音声情報出力部（音声出力部）であり、伸長部８にて伸長された音声データをスピーカ１２に送出して放音させる。
【００１４】
１３はリモコンであり、リモコン本体にＤＶＤプレイヤーをコントロールするための各種入力キーが配設されている。
この入力キーとしては、一般のリモコンと同様、電源オン・オフ用のパワーキー、トレイ開閉用の開閉キー、メニュー選択用のメニューキー、再生用のプレイキー、ストップキー、クリヤーキー、警告時間入力用の時間設定キーおよびテンキー等を備えている。
なお、時間設定キーは、専用キーを設けるようにしているが、他のキーを兼用し、使用に際して適宜切り換えるようにしてもよい。
この時間設定キーは、情報再生中に１回押圧されると、その時点で警告表示の開始指令を発し、２回押圧されると警告表示の終了指令を出力するようになっている。
【００１５】
また、メニューキーは、ＳＥＬＲＣＴ（カーソル：画面１１ａ上に三角形のサインで表示）、ＳＥＴ（ＥＮＴＥＲ）、ＥＸＩＴ（ＳＥＴＵＰ）、ＣＡＮＣＥＬ（ＲＥＴＵＲＮ）等のキーを含んでいる。
このメニューキーは、押圧操作されると画面１１ａ上にメインメニューや複数のメニュー項目を表示させる指令を出力する。
なお、メニュー項目の中には、通常の設定項目の他に「警告時間設定」や「「警告タイトル設定」等が予め備えられている。
これらのメニュー項目が表示されたとき、カーソルを移動させて、例えば、「警告時間設定」を選択すると、時間設定キーの操作により警告表示の開始時間と終了時間とを入力設定できる。
また、「警告タイトル設定」を選択すると、テンキーの操作によりタイトルおよびチャプターを入力して、警告表示の開始時間と終了時間との入力設定が可能となっている。
このように構成されたリモコン１３は、何れかのキーが操作されると、その操作内容に応じた指令が赤外線信号で送信される。
１４は受信部であり、リモコン１３から送信されてくる赤外線信号を受信して、その伝送信号を制御部１５側に送出する。
【００１６】
この制御部１５は、マイクロコンピュータであり、各種データを記憶するメモリ１５ａやＯＳＤ回路１５ｂ等を備えている。
メモリ１５ａには、ＯＳＤ表示用のデータを記憶しており、ＤＶＤ１の情報再生に関したメニュー項目や映像表示シーンの中で真似を禁止させる警告文字、記号等を含む警告サインのキャラクタデータを記憶している。
本例では、モニタ１１の画面１１ａに『まねするな！』の文字を大きく表示し、子供に警告を与えるようにしているが、この他に注意を引くような各種サインを表示してもよい。
また、リモコン１３から送出されてくる時間データ、ＤＶＤ１のタイトル（ＴＴ）を示すデータ等も所定のエリヤ記憶されるようになっている。
ＯＳＤ回路１５ｂは、画面１１ａの表示内容をコントロールするもので、出力がモニタ１１側の映像出力部９に接続されており、制御部１５からの出力信号が導かれている。
このＯＳＤ回路１５ｂは、リモコン１３の操作に基づく制御部１５の表示制御により、再生映像およびＯＳＤ表示の機能やその詳細表示に関する指令信号を出力する。
【００１７】
次に、上記ＤＶＤプレイヤーの動作について、図を参照しつつ説明する。
親が子供に映画を記録したＤＶＤ１を再生して聴視させるとき、暴力シーンの多いことが予想されて真似すると良くないことが分かっていると、予め警告表示の設定を行っておく。
まず、ＤＶＤ１をトレイにセットした後、リモコン１３のメニューキーを操作し、モニタ１１の画面１１ａにメニューを表示させる。
そして、メニュー項目の中から「警告時間設定」を選択すると、これに応じて制御部１５は警告時間設定モードに移行する。
続いて、親がプレイキーを操作すると、制御部１５はＤＶＤ１の情報再生を開始させる。これに伴い、ＴＯＣ領域のデータが読み出されると、制御部１５はこのＤＶＤ１に固有の識別情報を付与してメモリに１５ａに記憶しておく。
【００１８】
再生開始により画面１１ａに映画が映し出された後、暴力シーンが始まると、親は時間設定キーを１回操作する。
制御部１５は、時間設定指令が入力すると、その時点で記録トラックから読み取られる時間データをＤＶＤ１の識別情報に対応させてメモリ１５ａに記憶させる。
そして、暴力シーンが終わったとき、親が時間設定キーを再度操作すると、その時点で記録トラックから読み取られる時間データをメモリに１５ａに記憶させる。
この後も、親は暴力シーンが始まるに応じて時間設定キーを操作し続け、全ての再生が終了すると、このＤＶＤ１のみに必要とされる警告表示の開始、終了時間データが複数記憶されることになる。
【００１９】
つぎに、子供がＤＶＤ１の映画を見たい場合、このＤＶＤ１をトレイにセットした後、リモコン１３のプレイキーを操作すると、制御部１５はＤＶＤ１の情報再生を開始させる。
これに伴い、ＤＶＤ１の記録情報が読み出され、制御部１５に送出されてくると、回路各部を動作させてモニタ１１の画面１１ａに映画を映し出させる。また、制御部１５は、メモリ１５ａのデータを検索し、このＤＶＤ１を示す固有の情報が予め記録された識別情報と一致するかを判別する。
これが一致すれば、さらにこのＤＶＤ１に時間データの記録があるか否かを判別し、時間データの記録があると、入力する時間データをメモリ１５ａの時間データと照合する。
そして、両者が一致した時点でＯＳＤ回路１５ｂの表示動作を開始させ、メモリ１５ａに記憶された警告サインのキャラクタデータを送出する。
【００２０】
このキャラクタデータを受けると、ＯＳＤ回路１５ｂはモニタ１１の画面１１ａに、図２に示すような『まねするな！』の文字を大きく表示させる。
この文字は、暴力シーンが映し出され始めたときに表示されるので、子供に対し真似してはいけない、という警告を与えることができる。
また、暴力シーンは、そのまま映され続けるため、具体的に何を真似してはいけないかの判断力も身につけさせることができる。
この後、時間データが入力すると、制御部１５はメモリ１５ａの時間データと照合し、一致した時点でＯＳＤ回路１５ｂの表示動作を停止させる。
これにより、画面１１ａから警告文字が消えて再び映画のみが映し出される。この映像表示中、時間データが入力すると、再び画面１１ａに『まねするな！』の文字を表示させる。
この後、また時間データが入力すると、ＯＳＤ回路１５ｂの表示動作を停止させ、画面１１ａから警告文字を消す。
このような動作と表示が繰り返され、再生が終了すると一連の動作を停止させる。
【００２１】
なお、上記実施の形態においては、親が再生映像を見ながら時間設定キーを操作して警告を表示すべき時間帯を予め設定していたが、親子が一緒に見ているときに警告を表示してもよい。
このときは、再生させたいＤＶＤ１をトレイにセットした後、リモコン１３のプレイキーを操作する。これに伴い、情報が再生されてモニタ１１の画面１１ａに映像が表示されたとき、暴力シーンが始まると時間設定キーを操作する。
すると、警告表示の開始指令が出力されるため、制御部１５がＯＳＤ回路１５ｂの表示動作を開始させ、メモリ１５ａに記憶された警告サインのキャラクタデータを送出する。
よって、モニタ１１の画面１１ａに、図２に示した『まねするな！』の文字が大きく表示される。
この後、暴力シーンが終わるに応じて時間設定キーを操作すると、制御部１５がＯＳＤ回路１５ｂの動作を停止させるので、画面１１ａの警告文字が消える。このような動作と表示が繰り返されることにより、一緒に映画を見ながら子供が真似してはいけないシーンを知らせることができる。
【００２２】
ところで、上記のような時間設定キーを用いることなく、予め映画のタイトルを入力するのみで、警告表示の設定を行うこともできる。
すなわち、このＤＶＤ１のＴＯＣ領域には、タイトル番号１のチャプター１番目からの経過時間情報に対応させたアドレスデータが記録されている。
よって、暴力シーンが含まれているタイトル番号が判っていると、これを入力すれば良い。
この際は、ＤＶＤ１をセットした後、リモコン操作によりモニタ１１の画面１１ａにメニュー項目を表示させ、その中から「警告タイトル設定」を選択する。
そして、タイトルおよびチャプターの番号を入力する画面になると、所定位置にカーソルを移動させ、テンキーの操作によりタイトル番号に続きチャプター番号を入力する。
この番号データが送出されてくると、制御部１５は、各タイトル番号およびチャプター番号に対応する時間情報を読み取らせ、あるタイトルのチャプターの始まりを示す時間データと終わりを示す時間データとをメモリ１５ａに記憶させる。
【００２３】
この後の再生動作は、上述の通りであり、再生開始時に当該ＤＶＤ１に時間データの記録があることが判別されると、制御部１５は入力する時間データとメモリ１５ａの時間データとが一致した時点でＯＳＤ回路１５ｂの表示動作を開始させる。
このため、暴力シーンを示すタイトルの映像が画面１１ａに映し出されたとき、図２に示した『まねするな！』の文字が大きく表示される。
この後、チャプターで警告表示を終わらせる時間データが記憶されていると、そのチャプターの終了時点で警告文字の表示も停止される。
よって、前述のように子供に対し真似してはいけない、という警告を与えることができる。
なお、予め暴力シーンが含まれているタイトル番号が判っていないときは、早送り再生して暴力シーンのあるタイトルおよびチャプターを確認しておき、それを後で前述のように入力設定すればよい。
これにより、上記と同様、必要なときに警告表示をさせることができる。
【００２４】
【発明の効果】
以上説明したように、本発明のうち請求項１に記載の発明は、キー入力部による警告表示の開始指令があったとき、また予めメニュー表示で設定された警告開始、終了時間帯にＯＳＤ回路から警告サインの表示データを出力させるので、再生中の映像を変化させることなく子供に好ましくないシーンで真似を禁じる警告を表示することができる効果がある。
また、請求項２に記載の発明は、予めメニュー表示で設定された警告開始、終了時間帯にＯＳＤ回路から警告サインの表示データを出力させるので、再生中の映像を変化させることなく子供に好ましくないシーンで真似を禁じる警告を表示することができる効果がある。
また、請求項３に記載の発明は、ディスクの情報再生時、キー入力部より警告表示の開始指令が送出されてくるとＯＳＤ回路から警告サインの表示データを出力させるので、再生中の映像を何ら損なうことなく子供に好ましくないシーンで真似を禁じる警告を表示することができる利点がある。
また、請求項４に記載の発明は、キー入力部よりディスクの情報仲に真似を禁止させるべき表示シーンのタイトルが送出されてくると、そのタイトルの開始、終了時間データをメモリに記憶させるので、子供に好ましくないタイトルのシーンのときに真似を禁じる警告を表示することができる利点がある。
【図面の簡単な説明】
【図１】本発明の実施の形態に係るディスク再生装置の電気的構成を示すブロック線図である。
【図２】警告文字が表示されたモニタの画面を示す説明図である。
【符号の説明】
１  ディスク
１３  キー入力部
１５  制御手段
１５ａ  メモリ
１５ｂ  ＯＳＤ回路
【図１】
2004295933.tif 000003
【図２】
2004295933.tif 000004